(57)【要約】【課題】従来のパスタケースでは、１００ｇや２００ｇなど、予め定められた所定量のパスタしか一度に取り出す事ができない。そして、使用者が所定量を変更する事はできない。そのため、８０ｇや１５０ｇ等、任意の量のパスタを取り出すのは、非常に面倒な作業であったと言える。また、取り出し孔が円形であるため、パスタが少ししか容器に入っていない場合は非常に取り出しにくくなってしまう。【解決手段】このパスタケースは、有底筒状に形成され、パスタが収容され、底面に残量が分かる目盛りが印刷された容器本体１２と、その容器本体の上部を着脱可能に閉鎖する、数字が印刷された上蓋１３及び矢印が印刷された中蓋１４とからなるパスタケースである。前記上蓋および中蓋には扇形の取り出し孔があり、上蓋を回転させる事によって、取り出し孔から任意の量のパスタを取り出す事ができ、またパスタが最後まで取り出しやすいように構成したものである。【選択図】図１
2005112459.tif 000002
【特許請求の範囲】
【請求項１】
有底筒状に形成され、棒状の麺類が収容され、底面に残量が分かる目盛りが印刷された容器本体と、その容器本体の上部を着脱可能に閉鎖する、矢印が印刷された中蓋及び数字が印刷された上蓋とからなるパスタケースであって、前記中蓋および上蓋には扇形の取り出し孔があり、上蓋を回転させる事によって、取り出し孔から任意の量の麺類を取り出す事ができるように構成したパスタケース。
【発明の詳細な説明】
【技術分野】
【０００１】この発明は、パスタ（スパゲッティー）を収容して保存する事ができるとともに、任意の量のパスタを計量しながら取り出す事ができるパスタケースに関するものである。
【背景技術】
【０００２】従来、この種のパスタケースとしては、実開昭６１−１４７７６８号公報に開示されている食品用保存容器や、特開２００１−４８２６１号公報に開示されている麺類ストッカーが知られている。これらのパスタケースは、蓋を回転させることにより、例えば１００ｇや２００ｇなどの所定量のパスタを計量しながら容易に取り出す事ができる。
【発明の開示】
【発明が解決しようとする課題】
【０００３】ところが、前記従来のパスタケースでは、１００ｇや２００ｇなど、予め定められた所定量のパスタしか一度に取り出す事ができない。そして、使用者が所定量を変更する事はできない。そのため、８０ｇや１５０ｇ等、任意の量のパスタを取り出すのは、非常に面倒な作業であったと言える。また、取り出し孔が円形であるため、パスタが少ししか容器に入っていない場合は非常に取り出しにくくなってしまう。【０００４】この発明は、上記のような従来技術に存在する問題点に着目してなされたものである。その目的とするところは、パスタを収容して保存することができるとともに、任意の量のパスタを計量しながら容易に取り出すことができ、また最後まで取り出しやすいパスタケースを提供することにある。
【課題を解決するための手段】
【０００５】上記の目的を達成するために、請求項１に記載の発明のパスタケースは、有底筒状に形成され、パスタが収容され、底面に残量が分かる目盛りが印刷された容器本体と、その容器本体の上部を着脱可能に閉鎖する、矢印が印刷された中蓋および数字が印刷された上蓋とからなるパスタケースであって、前記中蓋および上蓋には扇形の取り出し孔があり、上蓋を回転させる事によって、取り出し孔から任意の量のパスタを取り出す事ができるように構成したものである。
【発明を実施するための最良の形態】
【０００６】以下、この発明の実施形態を、図面に基づいて詳細に説明する。図１に示すように、パスタケース１１は、ガラスまたは合成樹脂等により有底筒状に形成された容器本体１２と、その容器本体１２の上部開口部を着脱可能に閉鎖する上蓋１３、中蓋１４とから構成されている。このパスタケース１１は、市販のパスタの平均的な長さに相当する高さに形成されるとともに、数人分〜十数人分のパスタ（例えば１ｋｇのパスタ）を収容することができる容積を有しており、市販のパスタを大量に購入して保存することができるように構成されている。【０００７】図１及び図２が示すように、容器本体１２の側壁１５は、円筒形状に形成されている。また、図３が示すように、容器本体１２の上部開口部よりやや下の内周面には、係合溝１６が横方向に連続して延びるように形成されている。【０００８】図１が示すように、中蓋１４は不透明または半透明の合成樹脂等により円板状に形成された天井壁１７と、その天井壁１７の周縁に沿って立設された外側壁１８とから構成されている。天井壁１７の上面には矢印１９が印刷されている。さらに、この天井壁１７には扇型の取り出し孔２０が形成されている。【０００９】図１が示すように、上蓋１３は半透明の合成樹脂等により円板状に形成された天井壁２１と、その天井壁２１の周縁に沿って立設された外側壁２２とから構成されている。天井壁２１の上面には数字２３が印刷されている。この数字２３と矢印１９を合わせることで、パスタを取り出す量を計算することができる。さらに、この天井壁２１には扇型の取り出し孔２４が形成されている。【００１０】図１に示すように、天井壁１７の中央には軸受け孔２５が、天井壁２１の中央には軸受け孔２６が形成されている。この軸受け孔２５、２６に軸２７を通し、軸受け２８で固定することにより上蓋１１をなめらかに回転させることができる。【００１１】図３に示すように、容器本体１２には係合溝１６が形成されており、ここに中蓋１４の外側壁１８をはめ込むことができる。【００１２】図４はパスタケース１１を下から見た図である。容器本体１２の底面には、目盛り２９が印刷されている。【００１３】上記パスタケース１１の作用について以下に記載する。さて、上記のように構成されるパスタケース１１を使用して、任意の量のパスタを計量しながら取り出す場合には、まず、図１に示されるように、容器本体１２と上蓋１３及び中蓋１４とを分離する。続いて、容器本体１２内に数人分〜十数人分のパスタ３０を挿入した後、上蓋１３、中蓋１４を容器本体１２に装着する。【００１４】１００ｇのパスタを計量しながら取り出す場合には、まず、上蓋１３を回転させ、中蓋１４に印刷された矢印１９が上蓋１３に印刷された数字２３の１００（ｇ）に合うようにする。続いて、図５に模式的に示されるように、パスタケース１１を、上蓋１３が下方になるように傾けて保持する。このとき、容器本体１２内のパスタ３０は容器本体１２の一側部に密集されるとともに、滑りながら移動され、取り出し孔２０付近で密集する。【００１５】続いて、必要であれば振動を加えながら、上蓋１３をさらに下方に傾けることによって、両取り出し孔２０と２４の隙間から外部に突出される。この外部に突出されたパスタ３１を手で受け止めることによって、約１００ｇのパスタ３１を計量しながら取り出すことができる。【００１６】このパスタケース１１内でパスタ３０を保存する場合には、図１に示されるように、容器本体１２上部の所定位置に上蓋１３及び中蓋１４を装着した状態で、中蓋１４を容器本体１２の上端部にある係合溝１６に装着し、上蓋１３を回転させ、矢印１９が数字２３と合わない状態にすることで、埃等の混入及びパスタ３０の不測の流出を防止しつつ、必要なときに必要な分量のパスタ３０を取り出して食すことができる。【００１７】図４に示される、容器本体１２の底面に印刷された目盛り２９について以下に記載する。この目盛り２９は、パスタ３０を容器本体１２に収納した状態で容器を水平にし、軽く振動を加えることによってパスタ３０の残量が分かるように印刷されたものである。これにより、例えば２００ｇのパスタ３０を取り出したいときに、容器内に２００ｇ以上のパスタ３０があるかどうか確認することができる。また、いつパスタ３０を追加購入したらよいかの目安にもなる。【００１８】上記のパスタケース１１によって発揮される効果を以下に記載する。
実施形態のパスタケース１１は、上蓋１３と中蓋１４の一端部に取り出し孔２０、２４が形成されているうえ、軸受け孔２５、２６と軸２７により軸着されている。このため、任意の量のパスタ３１を容易に計量しながら取り出すことができる。【００１９】また、このパスタケース１１は、大量のパスタ３０を収納収容することができるとともに、上蓋１３によって容器本体１２の上部開口部全体を閉鎖することができるように構成されている。このため、パスタケース１１内にパスタ３０を収容して保存することができるうえ、埃等の混入及びパスタ３０の不測の流出を防止しつつ、必要なときに必要な分量のパスタ３０を取り出して食すことができる。【００２０】図３に示すように、中蓋１４の外側壁１８にはへこみが形成されているため、そこに指をかけて、容器本体１２と上蓋１３及び中蓋１４の結合状態を容易に解除することができる。従って、任意の量のパスタ３０をより一層容易に取り出すことができる。【００２１】容器本体１２が有底円筒状に形成されていることから、パスタケース１１を上蓋１３が下になるよう傾けることによって、その端部にパスタ３１を容易に密集させることができる。【００２９】なお、上記実施形態は、次のように変更して具体化することも可能である。
上蓋１３を不透明の樹脂素材やガラス、木、ステンレス等にするとともに、数字２３を印刷せず、小さな孔を開け、中蓋１４に数字を印刷し、上蓋１３の孔から中蓋１４の数字が見えるようにし、パスタ３０を計量できるようにすること。【００３０】中蓋１４を設置せず、上蓋１３の取り出し孔２４にシャッター状のものを取り付け、パスタ３０を計量できるようにすること。【００３１】容器本体１２の内部を２つに区切り、太さや種類の違う２種類のパスタを収納し、計量できるようにすること。【００３２】パスタケース１１を大きく作り、容器本体１２に取手を付け、業務用とすること。【００３３】数字２３を容器本体１２の底面ではなく、側面に印刷すること。また底面にも側面にも印刷しないこと。【００３４】容器本体１２を有底四角筒状にし、上蓋１３を横にスライドさせてパスタ３０を計量すること。【００３５】上蓋１３又は中蓋１４に指掛けを設置し、より一層蓋の取り外しを容易にすること。【００３６】容器本体１２の底部にゴム等でできた脚を設置し、パスタケース１１の安定性を高めること。【００３７】パスタケース１１にラーメン、そうめん、そば、及びマカロニやリングイネ、ペンネ等のショートパスタを収納すること。【００３８】数字２３、矢印１９、目盛り２９等を直接容器や蓋に印刷するのではなく、シールにすること。【００３９】上蓋１３の数字２３の所に、１人分、２人分等の目安やカロリー、ＧＩ値等を印刷すること。【００４０】上蓋１３、中蓋１４を容器本体１２から取り外せないようにし、代わりに容器本体１２の底部等にパスタ３０を入れるための孔を設置すること。【００４１】湿気からパスタ３０を守るため、上蓋１３の上から密閉性の高い蓋をかぶせること。【００４２】取り出し孔２０及び２４の形状を、扇型ではなく半円形、三日月型、長方形、楕円形、三角形等にすること。【００４３】容器本体１２内または中蓋１４の内側に、乾燥剤を収納するスペースを設置すること。【００４４】容器本体１２内または中蓋１４の内側に、塩を収納するスペースを設置すること。【００４５】上蓋１３の側面２２にも数字を印刷し、中蓋１４の側面１８にも矢印を印刷すること。
【発明の効果】
【００４６】以上詳述したように、この発明によれば、次のような効果を奏する。請求項１に記載の発明のパスタケースによれば、パスタを収容して保存することができるとともに、任意の量のパスタを計算しながら容易に取り出すことができ、パスタが残り少ない場合も、容易に取り出すことができる。また、底面に印刷された目盛りにより、パスタケースに残っているパスタの量が分かる。
【図面の簡単な説明】
【図１】実施形態のパスタケースを示した分解斜視図である。
【図２】実施形態のパスタケースを示した平面図である。
【図３】図２の３ａ−３ａ線から見た部分拡大断面図である。
【図４】実施形態のパスタケースを下から示した平面図である。
【図５】実施形態のパスタケースを使用している様子を模式的に示した部分拡大断面図である。
【符号の説明】
１１…麺類ケースとしてのパスタケース
１２…容器本体
１３…回転する上蓋
１４…中蓋
１５…容器本体の側面
１６…中蓋と容器本体を装着させるための係合溝
１７…中蓋の天井壁
１８…中蓋の外側壁
１９…中蓋に印刷されている矢印
２０…中蓋の取り出し孔
２１…上蓋の天井壁
２２…上蓋の外側壁
２３…上蓋に印刷されている矢印
２４…上蓋の取り出し孔
２５…中蓋に軸を通すための孔
２６…上蓋に軸を通すための孔
２７…中蓋と上蓋を固定するための軸
２８…軸受け
２９…底面に印刷されている目盛り
３０…容器本体に入っているパスタ
３１…容器本体から取り出されたパスタ
【図１】
2005112459.tif 000003
【図２】
2005112459.tif 000004
【図３】
2005112459.tif 000005
【図４】
2005112459.tif 000006
【図５】
2005112459.tif 000007